(57)【特許請求の範囲】
【請求項１】
洗浄水を貯水する貯水タンク装置の貯水タンクに取り付けられる排水弁装置であって、  貯水タンクの底面に設けられた排水口の上方に取り付けられ、上下方向に移動して上記排水口を開閉する弁体と、
この弁体に取り付けられ上記貯水タンク内の水位の低下に連動して下降し外周壁を備えたフロートと、
このフロートに取り付けられ、上記弁体が下降を開始するタイミングを可変とする下降開始タイミング可変機構と、を有し、
上記下降開始タイミング可変機構は、洗浄水を貯水する貯水部と、この貯水部に貯水された洗浄水量を調整して上記フロートに作用する浮力を変更する調整部と、を備え、
上記下降開始タイミング可変機構の貯水部は、その外周側に設けられた側壁とこの側壁より内側にある上記フロートの外周壁により形成され、上記調整部は、この貯水部の側壁の高さを変更して洗浄水量を調整することを特徴とする排水弁装置。
【請求項２】
上記下降開始タイミング可変機構の貯水部の側壁は、全周に渡って形成されその上縁部まで洗浄水の貯水が可能となっている請求項１に記載の排水弁装置。
【請求項３】
上記下降開始タイミング可変機構の貯水部の調整部は、上記フロート又は貯水部の側壁に設けられた複数の高さ位置の異なる溝部と、上記側壁又はフロートに設けられ上記溝部に挿通可能な凸部である請求項１に記載の排水弁装置。
【請求項４】
上記フロート又は貯水部の側壁の周面には、上記調整部付近に外側へ延びる壁部が形成されており、この壁部の外側端は上記調整部より外側に位置している請求項３に記載の排水弁装置。
【請求項５】
上記壁部は、上記調整部を取り囲むように設けられている請求項４に記載の排水弁装置。
【請求項６】
上記壁部は、上記弁体が回転しないように、その周方向の移動が規制されている請求項５に記載の排水弁装置。
【請求項７】
上記下降開始タイミング可変機構の調整部は、上記フロートと上記貯水部の側壁に設けられ、上記貯水部の側壁の高さを変更するネジ機構である請求項１に記載の排水弁装置。
【請求項８】
更に、上記弁体の上下動をガイドするガイド部を備え、このガイド部の上記貯水部の側壁が嵌入される周面に洗浄水を流出させるための開口が形成されている請求項１乃至６の何れか１項に記載の排水弁装置。
【請求項９】
上記ガイド部の開口の上端は、弁体がガイド部に対して最上位置に到達したとき、上記貯水部の側壁の上端よりも上方に位置するように形成されている請求項８に記載の排水弁装置。
【請求項１０】
上記ガイド部の開口は、その面積が上記ガイド部内の水位が上記貯水タンク内の水位の低下とほぼ同等速度で低下する程度の大きさに設定されている請求項８又は請求項９に記載の排水弁装置。
【請求項１１】
上記弁体は、上記排水口を密閉するシール部を備え、上記弁体の一部が上記シール部よりも下方に位置するように設けられている請求項１乃至１０に記載の排水弁装置。
【請求項１２】
上記弁体は、下面を備え、この下面に穿孔が設けられている請求項１乃至１１に記載の排水弁装置。
【請求項１３】
更に、上記弁体の上面に弁体を引き上げる連結部材が取り付けられる連結部材取付部が設けられ、この連結部材取付部が、連結部材の回転方向を一方向に規制する回転規制部を備えている請求項１乃至１２に記載の排水弁装置。
【請求項１４】
請求項１乃至１３の何れかに記載の排水弁装置を備えた貯水タンク装置。
【請求項１５】
請求項１４に記載の貯水タンク装置を備えた水洗大便器。
【発明の詳細な説明】
【技術分野】
【０００１】
本発明は、排水弁装置、洗浄水タンク装置、及び、水洗大便器に関する。
【背景技術】
【０００２】
従来から、貯水タンク装置に貯水した洗浄水により便器本体が洗浄される水洗大便器が知られている。この貯水タンク装置には、排水弁装置が使用されているが、この排水弁装置の一例として、洗浄水タンク内の排水口に対して弁体が鉛直方向に上下動することにより排水口を開閉する排水弁装置が使用されている。このようなる排水弁装置として、弁体に浮力を作用させるフロートを弁体と一体に形成したものが知られている（たとえば、特許文献１参照）。
【０００３】
この従来の排水弁装置では、洗浄水タンク内の水位の低下に連動して弁体が鉛直方向に下降するため、弁体による排水口の開放時間を常にほぼ一定とすることができるので、排水終了後の水位（以下、「死水水位」という）が安定する。
【先行技術文献】
【特許文献】
【０００４】
【特許文献１】米国特許第８０７９０９５号明細書
【発明の概要】
【発明が解決しようとする課題】
【０００５】
しかしながら、上述した従来の排水弁装置では、弁体による排水口の開放時間が常にほぼ一定であるので、予め規定された洗浄水量しか便器本体に供給することができない。便器の種類により洗浄水量が異なるため、排水弁装置を他の種類の便器に適用することができないようになっていた。
【０００６】
ところが、近年の節水化によって、便器には少ない洗浄水量で大きな洗浄力が要求されるようになった。このため、便器は年々、洗浄水量を少なくすべく改良が進められている。したがって、洗浄水量が異なる各種の便器に応じて洗浄水量を調整することができれば、便器にあわせて排水弁や洗浄水タンクを取り換える必要がなくなり、経済的である。このため、洗浄水量を調整可能とすると共に、洗浄水タンクを大きくすることなく、洗浄水量の調整幅を大きくすることが要求されていた。
【０００７】
本発明は、従来からの要請を満たすためになされたものであり、洗浄水量を調整することにより異なる種類の便器に適応できる排水弁装置、及び、この排水弁装置を備えた貯水タンク装置、さらに、この貯水タンク装置を備えた水洗大便器を提供することを目的とする。
【課題を解決するための手段】
【０００８】
上記の目的を達成するために、本発明は、洗浄水を貯水する貯水タンク装置の貯水タンクに取り付けられる排水弁装置であって、貯水タンクの底面に設けられた排水口の上方に取り付けられ、上下方向に移動して上記排水口を開閉する弁体と、この弁体に取り付けられ貯水タンク内の水位の低下に連動して下降し外周壁を備えたフロートと、このフロートに取り付けられ、弁体が下降を開始するタイミングを可変とする下降開始タイミング可変機構と、を有し、下降開始タイミング可変機構は、洗浄水を貯水する貯水部と、この貯水部に貯水された洗浄水量を調整してフロートに作用する浮力を変更する調整部と、を備え、下降開始タイミング可変機構の貯水部は、その外周側に設けられた側壁とこの側壁より内側にあるフロートの外周壁により形成され、調整部は、この貯水部の側壁の高さを変更して洗浄水量を調整することを特徴としている。
このように構成された本発明によれば、弁体に取り付けられ洗浄水タンク内の水位の低下に連動して下降するフロートに、弁体が下降を開始するタイミングを可変とする下降開始タイミング可変機構を取り付けたので、弁体が下降を開始するタイミングを変更とすることができる。この結果、本発明によれば、排水口から洗浄水を排出する時間を変更し、排水口からの排出される洗浄水量を変更することができるので、必要な洗浄水量が異なる種類の便器に取り付けて洗浄水量を容易に調整することができる。また、下降開始タイミング可変機構は、洗浄水を貯水する貯水部と、この貯水部に貯水された洗浄水量を調整してフロートに作用する浮力を変更する調整部と、を備え、下降開始タイミング可変機構の貯水部は、その外周側に設けられた側壁とこの側壁より内側にあるフロートの外周壁により形成され、調整部は、この貯水部の側壁の高さを変更して洗浄水量を調整するようにしたので、簡易な機構により、弁体の下降開始タイミングを変更することができ、調整部により重りとして機能する貯水部に貯水された洗浄水量を調整して、フロートに作用する浮力を容易に変更することができ、装置全体を低シルエットのコンパクトなものとすることができる。
【００１２】
本発明において、好ましくは、下降開始タイミング可変機構の貯水部の側壁は、全周に渡って形成されその上縁部まで洗浄水の貯水が可能となっている。
このように構成された本発明によれば、貯水部から貯水された洗浄水が抜ける場合でも、貯水部の側壁が全周に渡って形成されているので、貯水部から洗浄水が均一に水抜けするので、弁体のバランスが崩れることなく弁体を降下させることができる。
【００１３】
本発明において、好ましくは、下降開始タイミング可変機構の貯水部の調整部は、フロート又は貯水部の側壁に設けられた複数の高さ位置の異なる溝部と、側壁又はフロートに設けられ溝部に挿通可能な凸部である。
このように構成された本発明によれば、フロート又は貯水部の側壁に設けられた複数の高さ位置の異なる溝部のうちの一つに側壁又はフロートに設けられた凸部が挿通することにより、貯水部の側壁の上端部の高さ位置が変更され、弁体の下降開始タイミングの変更およびフロートの浮力の調整を簡易な構成により実現することができる。
【００１４】
本発明において、好ましくは、フロート又は貯水部の側壁の周面には、調整部付近に外側へ延びる壁部が形成されており、この壁部の外側端は調整部より外側に位置している。
このように構成された本発明によれば、壁部により調整部が何らかの部材に接触して外れることを防止することができるために、確実に調整部による貯水部の洗浄水量の調整により重りの重さを調整することができる。
【００１５】
本発明において、好ましくは、壁部は、調整部を取り囲むように設けられている。
このように構成された本発明によれば、壁部が調整部を取り囲むので調整部の接触外れを確実に防止することができる。
【００１６】
本発明において、好ましくは、壁部は、弁体が回転しないように、その周方向の移動が規制されている。
このように構成された本発明においては、壁部により、弁体の周方向の移動が規定されているので、フロートに取り付けられた連結部材が回転して捩れるのを防止することができる。
【００１８】
本発明において、好ましくは、下降開始タイミング可変機構の調整部は、フロートと貯水部の側壁に設けられ、貯水部の側壁の高さを変更するネジ機構である。
このように構成された本発明によれば、ネジ機構により貯水部の側壁の高さを変更することにより、簡易な機構によりフロートに作用する浮力を変更して、弁体の下降開始タイミングを容易に変更することができる。
【００１９】
本発明は、好ましくは、更に、弁体の上下動をガイドするガイド部を備え、このガイド部の貯水部の側壁が嵌入される周面に洗浄水を流出させるための開口が形成されている。
このように構成された本発明によれば、ガイド部により弁体の上下動をガイドするので、弁体の上下動を安定させることができる。さらに、ガイド部の貯水部の側壁が嵌入される周面に洗浄水を流出させるための開口が形成されているので、例えば、側壁を低く設定した場合に、ガイド部内に側壁の高さを超える洗浄水が貯水されることがあっても、貯水部の設定された洗浄水量を超える余分な洗浄水を開口から流出させることができる。その結果、本発明によれば、フロートは、ガイド部の影響を受けずに常に設定されたとおりの浮力を作用させることができ、フロートの浮力をほぼ一定に保つことができる。
【００２０】
本発明において、好ましくは、ガイド部の開口の上端は、弁体がガイド部に対して最上位置に到達したとき、貯水部の側壁の上端よりも上方に位置するように形成されている。
このように構成された本発明によれば、貯水部の設定された洗浄水量を超える余分な洗浄水を確実に開口から流出させることができ、これにより、フロートに常に設定されたとおりの浮力を作用させることができ、フロートの浮力をほぼ一定に保つことができる。
【００２１】
本発明において、好ましくは、ガイド部の開口は、その面積がガイド部内の水位が洗浄水タンク内の水位の低下とほぼ同等速度で低下する程度の大きさに設定されている。
このように構成された本発明によれば、貯水部の設定された洗浄水量を超える余分な洗浄水を貯水タンク内の水位の低下とほぼ同時に開口から流出させることができるので、フロートに常に設定されたとおりの浮力を作用させることができ、フロートの浮力をほぼ一定に保つことができる。
【００２２】
本発明において、好ましくは、弁体は、排水口を密閉するシール部を備え、弁体の一部がシール部よりも下方に位置するように設けられている。
このように構成された本発明においては、弁体の一部がシール部よりも下方に位置するように設けられているので、装置全体をコンパクトにすることができる。
【００２３】
本発明において、好ましくは、弁体は、下面を備え、この下面に穿孔が設けられている。
このように構成された本発明においては、フロート内に洗浄水が流入した場合に、弁体の下面に設けられた穿孔から洗浄水の水抜きを行うことができる。
【００２４】
本発明は、好ましくは、更に、弁体の上面に弁体を引き上げる連結部材が取り付けられる連結部材取付部が設けられ、この連結部材取付部が、連結部材の回転方向を一方向に規制する回転規制部を備えている。
このように構成された本発明によれば、連結部材取付部により連結部材の回転方向が一方向に規制されるので、連結部材と貯水タンク内部材との干渉や連結部材自身の絡まりを防止することができる。
【００２５】
本発明の貯水タンク装置は、上述した排水弁装置を備えている。このように構成された本発明によれば、便器の種類に応じて洗浄水量を調整することができる。
【００２６】
本発明の水洗大便器は、上述した貯水タンク装置を備えている。このように構成された本発明によれば、便器の種類に応じて洗浄水量を調整することができる。
【発明の効果】
【００２７】
本発明の排水弁装置、貯水タンク装置、及び、水洗大便器によれば、洗浄水量を調整することができる。
【図面の簡単な説明】
【００２８】
【図１】本発明の第１実施形態による水洗大便器を示す側面断面図である。
【図２】図１のＡ−Ａ線に沿って見た断面図である。
【図３】本発明の第１実施形態による排水弁装置の下降開始タイミング可変機構を示す斜視図である。
【図４】本発明の第１実施形態による排水弁装置の下降開始タイミング可変機構の他の例を示す斜視図である。
【図５】本発明の第１実施形態による排水弁装置の基本動作を説明するための説明図である。
【図６】本発明の第１実施形態による排水弁装置の動作を説明するための説明図である。
【図７】本発明の第１実施形態による排水弁装置の動作を説明するための説明図である。
【図８】本発明の第１実施形態による排水弁装置の動作を説明するための説明図である。
【図９】本発明の第１実施形態による排水弁装置の動作を説明するための説明図である。
【図１０】本発明の第１実施形態による排水弁装置の動作を説明するための説明図である。
【図１１】本発明の第２実施形態による排水弁装置を示す断面図である。
【図１２】本発明の第２実施形態による排水弁装置を示す断面図である。
【図１３】図１１に示す排水弁装置の斜視図である。
【図１４】本発明の第２実施形態による排水弁装置の台座及びオーバーフロー管を示す斜視図である。
【図１５】本発明の第２実施形態による排水弁装置の台座及びオーバーフロー管を示す断面図である。
【図１６】本発明の第２実施形態による排水弁装置の弁体、フロート、及び、下降開始タイミング調整機構を示す斜視図である。
【図１７】本発明の第２実施形態による排水弁装置の弁体、フロート、及び、下降開始タイミング調整機構を示す断面図である。
【図１８】本発明の第２実施形態による排水弁装置の弁体をガイドするガイド部を示す斜視図である。
【図１９】本発明の第２実施形態による排水弁装置のパッキン支え部材を示す断面図である。
【図２０】本発明の第２実施形態による排水弁装置の弁体、フロート、及び、下降開始タイミング調整機構の一部を示す斜視図である。
【図２１】本発明の第２実施形態による排水弁装置の下降開始タイミング開始機構の貯水部の即壁を示す斜視図である。
【図２２】本発明の第２実施形態による排水弁装置の下降開始タイミング開始機構を示す説明図である。
【発明を実施するための形態】
【００２９】
以下、添付図面を参照して、本発明の実施形態による排水弁装置、貯水水タンク装置、及び、水洗大便器について説明する。
【００３０】
図１乃至図４による本発明の第１実施形態による排水弁装置、洗浄水タンク装置、及び、水洗大便器について説明する。先ず、図１により、本発明の第１実施形態による水洗大便器について説明する。図１は本発明の第１実施形態による水洗大便器を示す側面断面図である。
【００３１】
図１に示すように、本発明の第１実施形態による水洗大便器１は、トイレ室の床面に設置される便器本体２と、この便器本体２の後方の上部に設置され、便器本体２に供給される洗浄水を貯水するための貯水タンク装置４とを備える。
【００３２】
便器本体２は、汚物を受けるボウル部６と、貯水タンク装置４から供給される洗浄水をボウル部６へ導く導水路４と、ボウル部６の下部にその入口が接続され、ボウル部６内の汚物を外部の排水管（図示せず）へ排出する排水トラップ管路１０とを備える。
【００３３】
ボウル部６は、上縁部において内側にオーバーハングしたリム部１２と、このリム部１２の便器の左側側方に設けられ、導水路８から供給される洗浄水を便器の前方に吐水する第１吐水口７と、便器左側側方で溜水面の上方位置に設けられ、導水路８から供給される洗浄水を横方向に吐水する第２吐水口１６とを備える。
【００３４】
排水トラップ管路１０は、その入口から上方へ延びる上昇路部分と、上昇路部分の末端から下方に延びて外部の排水管（図示せず）に接続される下降路部分とを備える。ボウル部６から排水トラップ管路１０の上昇路部分にかけては、水封状態を形成するための洗浄水が貯水される。なお、貯水された洗浄水を「溜水」といい、溜水の水面が溜水面である。
【００３５】
水洗大便器１は、ボウル部６内の洗浄水の落差による流水作用で汚物を押し流す、いわゆる洗い落し式である。水洗大便器１においては、第１吐水口１４から前方へ吐水された洗浄水が旋回しながら下降してボウル部６を洗浄し、さらに、第２吐水口１６から吐水された洗浄水が縦方向に旋回して、汚物を攪拌して、排水トラップ管路１０へ押し出すようになっている。本発明は、この洗い落とし式に限定されず、サイホン式等の他のタイプの水洗大便器であってもよい。
【００３６】
次に、図２により、洗浄水タンク装置について説明する。図２は、図１のＡ−Ａ線に沿って見た断面図である。図２に示すように、洗浄水タンク装置４は、洗浄水を貯水する貯水タンク１８と、この貯水タンク１８の蓋部２０と、貯水タンク１８内に設けられる給水装置２０と、排水弁装置２４とを備える。
【００３７】
図２に示すように、貯水タンク１８は、例えば、陶器製であり、上部が開口した略矩形の容器である。また、通常、上部の開口は、例えば、陶器製の蓋部２０（図１参照）によって閉塞される。なお、図２では、蓋部２０の図示を省略している。
【００３８】
貯水タンク１８の外側面には、レバーハンドル２６が設けられる。レバーハンドル２６は、その基部２６ａの軸まわりに回動する。また、レバーハンドル２６には、貯水タンク１８内にほぼ水平に延出し、先端側が下方へ向けて屈曲したほぼＬ字形のスピンドル２８が、レバーハンドル２６の回動軸と同軸で連結される。スピンドル２８は、レバーハンドル２６の回動操作によって、図中の手前側及び奥側へ回動するようになっている。
【００３９】
スピンドル２８の先端部は、排水弁装置２４のほぼ直上に位置する。また、スピンドル２８の先端部には、連結部材である玉鎖３０の一端が接続される。この玉鎖３０の他端は、排水弁装置２４の後述するフロート４８に接続される。
【００４０】
貯水タンク１８の底面には、排水口３２が形成され、この排水口３２は、導水路４（図１参照）へ連通し、洗浄水を導水路４へと供給するようになっている。排水口３２は、排水弁装置２４により開閉される。
【００４１】
図２に示すように、貯水タンク１８内には、給水装置２２が設けられる。給水装置２２は、給水管３４と、小タンク３６と、給水用フロート３８とを備える。給水管３４は、タ貯水ンク１８外の給水源（図示せず）に接続されるとともに、貯水タンク１８の底面から上方へと延びる。また、給水管３４の下部には、貯水タンク１８内へと洗浄水を供給する給水口３４ａが設けられる。
【００４２】
さらに、給水管３４の上部には、ダイヤフラム式の給水弁（図示せず）が設けられ、この給水弁により、給水管３４から供給される洗浄水の貯水タンク１８内への給水と止水とが切り換わるようになっている。
【００４３】
小タンク３６は、ほぼ矩形の容器であり、給水管３４の側方に着脱自在に設けられる。小タンク３６には、底面に設けられた開口（図示せず）を開閉する逆止弁（図示せず）が設けられる。給水用フロート３８は、小タンク３６内に配置され、小タンク３６内の水位に応じて上下動する。
【００４４】
給水用フロート３８は、揺動体４０を介して給水弁（図示せず）に接続され、上下動によって給水弁を開閉する。具体的には、給水用フロート３８は、小タンク３６に貯水された洗浄水が下面に形成された開口（図示せず）から排水されるので、小タンク３６内の水位の下降に連動して下降する。そして、給水弁は、給水用フロート３８が下降することにより開放され、給水口２３４ａから貯水タンク１８内へと洗浄水を供給する。
【００４５】
次に、図２により、排水弁装置２４について説明する。排水弁装置２４は、排水口３２の上方に配置され、その弁体４２が鉛直方向に上下動して排水口３２を開閉する、いわゆる直動式の排水弁装置である。
【００４６】
排水弁装置２４は、台座４４と、オーバーフロー管４６とを備える。台座４４は、排水口３２のほぼ直上に配置される。台座４２は、所定間隔をあけて、排水口３２の中心に対して同心円状に並んだ複数の柱部４４ａを備え、最下部に設けられた円筒状の接続部４４ｂが排水口３２と螺合する。また、台座４４の下部には、排水口３２へ連通する排水空間４４ｃが形成される。洗浄水は、柱部４４ａと柱部４４ａとの間の開口４４ｄから排水空間４４ｃを通過した後、排水口３２から排水される。
【００４７】
オーバーフロー管４６は、台座４４の側方において台座４４と一体的に設けられる。オーバーフロー管４６は、円筒状に形成され、上端開口が上方を向く。また、オーバーフロー管４６の下端開口は、上端開口とは略直交する横向きに開口し、排水空間４４ｃへと連通する。オーバーフロー管４６は、貯水タンク１８から洗浄水が溢水することを防ぐために設けられ、貯水タンク１８内の水位が、オーバーフロー管４６の上端開口の高さを超えた場合には、洗浄水がオーバーフロー管４６内へ流入し排水口３２へ排水されるようになっている。
【００４８】
また、排水弁装置２４は、弁体４２と、フロート４８と、下降開始タイミング可変機構５０とを備える。弁体４２は、円板状に形成され、排水口３２と対向する下面に、ゴム製のシール部４２ａを有する。また、弁体４２は、台座４４内に所定の範囲で上下動可能に設けられ、可動範囲の最下位置において排水口３２を閉塞する。
【００４９】
フロート４８は、弁体４２と一体的に設けられるとともに、弁体４２のシール部４２ａよりも下方にその下部４８ａが突出するように設けられる。フロート４８は、貯水タンク１８内の水位が低下して所定高さに達すると、その後の水位の低下に連動して下降する。
【００５０】
下降開始タイミング可変機構５０は、フロート４８の浮力調整機構であり、フロート４８上に設けられる。下降開始タイミング可変機構５０は、貯水タンク１８内の水位の低下に連動して弁体４２およびフロート４８が下降を開始する際の貯水タンク１１内の水位を変更する（可変にする）ためのものである。
【００５１】
下降開始タイミング可変機構５０をフロート４８上に配置することにより、フロート４８の排水口３２からの高さを一定にすると共に、弁体４２及びフロート４８が下降を開始する水位を変更することができる。
【００５２】
次に、図３により、下降開始タイミング可変機構５０の具体的な構造について説明する。図３は、本発明の実施形態による排水弁装置の下降開始タイミング可変機構を示す斜視図である。図３では、死水水位（ＤＷＬ）を低い位置に設定した場合の下降開始タイミング可変機構５０を図中左方に示し、死水水位（ＤＷＬ）を高い位置に設定した下降開始タイミング可変機構５０を図中右方に示している。ここで、死水水位（ＤＷＬ）とは、洗浄水の排出を止めた際の洗浄水タンク内における洗浄水の水位を指す（図２参照）。なお、図２に示すように、低位置の死水水位を「低ＤＷＬ」といい、高位置の死水水位を「高ＤＷＬ」という。
【００５３】
図３に示すように、弁体４２及びフロート４８は、一体的に設けられる。弁体４２は、中空の円筒状に形成されたフロート４８の外周面下部にフランジ状に設けられる。また、フロート４８の外周面には、弁体４２よりも上方に周方向に連続するネジ５２が設けられる。
【００５４】
また、フロート４８の外周面上部には、外方へと突出する突起５４が設けられる。さらに、フロート４８の上端面には、玉鎖３０（図２参照）が接続される取付部５６が設けられる。
【００５５】
下降開始タイミング可変機構５０は、貯水部５８と、調整部６０とを備える。貯水部５８は、その外周側に設けられた円筒状の側壁５８ａによって形成され、側壁５８ａがフロート４８に外嵌されることで、フロート４８の上方に突出して貯水領域を形成する。
【００５６】
側壁５８ａの内周面には、周方向に連続するネジ６２が設けられる。具体的には、ネジ６２は、側壁５８ａの内周面における周方向の一部に設けられる。なお、図３には、ネジ６２が側壁５８ａにおける対向する内周面部分に設けられる例を示している。
【００５７】
フロート４８のネジ５２と側壁５８ａのネジ６２とが螺合することにより、フロート４８の上方において側壁５８ａを進退させる調整部６０を形成する。この調整部６０によって貯水領域の高さ方向の変更が可能となる。
【００５８】
調整部６０では、フロート４８のネジ５２と側壁５８ａのネジ６２とが螺合する際、フロート４８の突起５４にネジ６２が乗り上げることにより、側壁５８ａが拡径する。これにより、側壁５８ａの回転が規制され、側壁５８ａがその突出高さで固定される。
【００５９】
このように、下降開始タイミング可変機構５０が、洗浄水を貯水する貯水部５８を備えているので、貯水部５８に貯水された洗浄水がフロート４８に対して重りとして機能する。また、下降開始タイミング可変機構５０が、貯水部５８の貯水量を調整する調整部６０を備えているので、重りの重さを調整することができ、フロート４８の浮力の調整が可能となる。さらに、この調整部６０は、ネジ５２とネジ６２との螺合させるようになっているので、簡素な構成となる。
【００６０】
なお、本実施形態では、下降開始タイミング可変機構５０の調整部６０は、フロート４８のネジ５２と側壁５８ａのネジ６２により、側壁５８ａの高さ変更するようにしたが、これに限らず、その他の構造を採用してもよい。
ここでは、図４により、下降開始タイミング可変機構の他の例を説明する。図４は本発明の第１実施形態による排水弁装置の下降開始タイミング可変機構の他の例を示す斜視図である。なお、なお、図４に示す下降開始タイミング可変機構の他の例の説明において、図３に示す下降開始タイミング可変機構５０と同一または同等の箇所には同一符号を付し、その説明を省略する。
【００６１】
図４に示すように、他の例である下降開始タイミング可変機構６４は、調整部６６として、フロート４８の外周面に周方向に連続して設けられ、フロート４８の軸方向に複数並んで設けられる条部６８と、側壁５８ａの下端縁に対向して２ケ所に設けられる爪部７０とを備える。
【００６２】
図４においてＡ部を拡大して示すように、側壁５８ａは、条部６８と条部６８との間に爪部７０が嵌り込むことにより、側壁５８ａがその突出高さで固定される。側壁５８ａは、それ自体を押し下げることにより、爪部７０が条部６８を乗り越えながら下方へと移動する。また、側壁５８ａを上方へと移動させる場合は、側壁５８ａを引き上げて、側壁５８ａの突出高さを調整することができる。
【００６３】
次に、図２に戻り、排水弁装置２４のガイド部７２について説明する。図２に示すように、ガイド部７２は、台座４４上に設けられる。また、ガイド部７２は、側壁５８ａが挿入可能な円筒状に形成される。ガイド部７２は、貯水部５８の側壁５８ａの上下方向への移動をガイドし、それにより、弁体４２の上下動を安定させる。
【００６４】
ガイド部７２の周面には、複数の開口７４が周方向に並んで設けられる。開口７４は、ほぼ矩形に形成される。各開口７４の上端縁は、ガイド部７２にガイドされる貯水部５８の側壁５８ａがその可動範囲の最上位置に到達した状態において側壁５８ａ（図３等参照）の上端縁よりも上方に位置する。
【００６５】
このように、ガイド部７２が開口７４を有するので、設定された貯水量を超える余分な洗浄水を開口７４から流出させることができる。このため、貯水部５８の貯水量が安定する。すなわち、フロート４８は、ガイド部７２の影響を受けずに常に設定されたとおりの浮力を作用させることができる。これにより、フロート４８の浮力をほぼ一定に保つことができる。
【００６６】
弁体４２が可動範囲の最上位置にある状態において、開口７４の上端縁が側壁５８ａの上端縁よりも上方に位置しているので、貯水部５８の貯水量を超えるガイド部７２内の余分な洗浄水を確実に流出させることができる。これにより、フロート４８に常に設定されたとおりの浮力を作用させることができる。この結果、フロート４８の浮力をほぼ一定に保つことができる。
【００６７】
開口７４の面積は、ガイド部７２内の洗浄水の水位が、貯水タンク１８内の洗浄水の水位とほぼ同等速度で低下する程度の大きさに形成される。すなわち、開口７２は、ガイド部７２内に溜まった洗浄水が外部へ十分に流出する程度の大きさである。これにより、ガイド部７２内に溜まった洗浄水が貯水タンク１８内の水位の低下とほぼ同時に低下するようになる。この結果、フロート４８に常に設定されたとおりの浮力を作用させることができ、フロート４８の浮力をほぼ一定に保つことができる。
【００６８】
次に、図５により、本実施形態による排水弁装置の基本動作を説明する。図５は本発明の第１実施形態による排水弁装置の基本動作を説明するための説明図である。図５には、死水水位を低い位置に設定した（低ＤＷＬ設定の）排水弁装置２４を図中左方に示し、死水水位を高い位置に設定した（高ＤＷＬ設定の）排水弁装置２４を図中右方に示している。
【００６９】
貯水タンク１８から供給する洗浄水量を多くするように設定したい場合、排水弁装置２４において、貯水タンク１８への給水を完了した際の洗浄水の水位（止水水位）と、上述した死水水位との差を大きくする。すなわち、図５の低ＤＷＬに設定する（「低ＤＷＬ設定」という）。反対に、貯水タンク１８から供給する洗浄水量を少なくするように設定したい場合、止水水位と死水水位との差を小さくする。すなわち、図５の高ＤＷＬに設定する（高ＤＷＬ設定）という）。
【００７０】
フロート４８は、貯水タンク１８内の水位が低下して所定高さの水位ＷＬ１，ＷＬ２に達すると、図中に白抜き矢印で示すように、以降の水位の低下に連動して下降する。
【００７１】
下降開始タイミング可変機構５０は、貯水タンク１８内の水位の低下に連動して弁体４２及びフロート４８が下降を開始するタイミングを可変する。具体的には、弁体４２及びフロート４８が下降を開始する際における水位ＷＬ１，ＷＬ２に対する弁体４２の高さ位置を可変する。なお、水位ＷＬ１，ＷＬ２に対する弁体４２の高さ位置とは、水位ＷＬ１，ＷＬ２と弁体３３との相対高さであり、具体的には、洗浄水の水面から弁体４２までの距離Ｌ１，Ｌ２を指す。
【００７２】
ここで、図５に示すように、低ＤＷＬ設定の場合と高ＤＷＬ設定の場合とは共に、弁体４２が下降を始めてから排水口３２を閉塞するまでにかかる時間がほぼ同一である。一方、低ＤＷＬ設定の場合と高ＤＷＬ設定の場合とでは、弁体４２が下降を開始するタイミングが異なる。
【００７３】
したがって、本実施形態に係る排水弁装置２４によれば、弁体４２の下降開始タイミングを変更可能とすることができるので、排水口３２の開放時間を変更可能とすることができる。これにより、便器への洗浄水量を可変することができ、便器の種類に応じて洗浄水量を調整することができる。
【００７４】
次に、図６乃至図１０を参照して排水弁装置２４の動作について説明する。図６乃至図１０は、いずれも、本発明の第１実施形態による排水弁装置の動作を説明するための説明図である。図６乃至図１０において、図中左方に低ＤＷＬ設定の排水弁装置２４を示し、図中右方に高ＤＷＬ設定の排水弁装置２４を示している。
【００７５】
排水弁装置２４では、低ＤＷＬ設定とすることにより、高ＤＷＬ設定よりも多量の洗浄水を排水口１５から排水する。反対に、高ＤＷＬ設定とすることにより、低ＤＷＬ設定よりも少量の洗浄水を排水口３２から排水する。
【００７６】
図６は、洗浄水の排水が開始される前の状態を示している。低ＤＷＬ設定および高ＤＷＬ設定の排水弁装置２４において、排水口３２が弁体４２によって閉塞されている。このとき、貯水タンク１８内の水位は共に止水水位ＷＬ０である。
【００７７】
この後、レバーハンドル２６が操作されると、スピンドル２８が回動する（図２参照）。スピンドル２８が回動すると、弁体４２は、玉鎖３０に引き上げられて可動範囲の最上位置へと移動する。これにより、排水口３２から洗浄水が排水される。
【００７８】
図７に示すように、高ＤＷＬ設定の排水弁装置２４では、洗浄水が排水されて貯水タンク１８内の水位が所定高さの水位ＷＬ１に到達すると、フロート４８の浮力と自重のバランスがくずれ、以降の水位の低下に連動して弁体４２及びフロート４８が下降を開始する。一方、低ＤＷＬ設定の排水弁装置２４では、弁体４２は、フロート４８の浮力が自重に対して十分に作用しており、最上位置に停滞したままである。なお、図７では、下降する水位を斜線入り矢印で示し、排水される洗浄水を矢線で示している。
【００７９】
次に、図８に示すように、高ＤＷＬ設定の排水弁装置２４では、下降する水位に連動して弁体４２が下降を続けている。一方、低ＤＷＬ設定の排水弁装置２４では、貯水タンク１８内の水位が所定高さの水位ＷＬ２に到達すると、フロート４８の浮力と自重のバランスがくずれ、以降の水位の低下に連動して弁体４２及びフロート４８が下降を開始する。つまり、低ＤＷＬ設定の排水弁装置２４では、高ＤＷＬ設定の排水弁装置２４よりも遅れて弁体４２が下降を開始する。なお、図８においても、下降する水位を斜線入り矢印で示し、排水される洗浄水を矢線で示している。
【００８０】
また、図８に示すように、弁体４２が下降を続けても、ガイド部７２の開口７４から洗浄水が流出するため、ガイド部７２内に洗浄水が溜まらず、貯水部５８に貯水された洗浄水を超える重さがフロート４８に付加されることはない。
【００８１】
次に、図９に示すように、高ＤＷＬ設定の排水弁装置２４では、弁体４２が、可動範囲の最下位置に到達し、排水口３２を閉塞する。なお、弁体４２は、低下する水位に連動して最下位置に近づくと、排水口３２から排水される洗浄水の水流に引き寄せられ、急速に下降して最下位置に到達する。ここで、高ＤＷＬ設定の排水弁装置２４において、弁体４２によって排水口３２が閉塞された際の水位が死水水位ＤＷＬ１である。
【００８２】
一方、低ＤＷＬ設定の排水弁装置２４では、下降する水位に連動して弁体４２が下降を続けている。なお、図９においても、下降する水位を斜線入り矢印で示し、排水される洗浄水を矢線で示している。
【００８３】
次に、図１０に示すように、高ＤＷＬ設定の排水弁装置２４よりも遅れて、低ＤＷＬ設定の排水弁装置２４でも、弁体４２が、可動範囲の最下位置に到達し、排水口３２を閉塞する。なお、弁体４２が最下位置に近づくと急速に下降して最下位置に到達する点は高ＤＷＬ設定の排水弁装置２４と同様である。ここで、低ＤＷＬ設定の排水弁装置２４において、弁体４２によって排水口３２が閉塞された際の水位が死水水位ＤＷＬ２であり、高ＤＷＬ設定の排水弁装置２４における死水水位ＤＷＬ１よりも低い。一方、いずれの設定の排水弁装置２４においても止水水位ＷＬ０は（図６参照）は同じであるので、低ＤＷＬ設定の排水弁装置２４のほうが高ＤＷＬ設定の排水弁装置２４よりも多量の洗浄水を排水口３２から排水する。
【００８４】
上述したように、本実施形態による排水弁装置２４によれば、弁体４２が下降を開始する際の水位に対する弁体４２の高さ位置を変更して弁体４２が下降を開始するタイミングを可変することができる。弁体４２が下降を開始するタイミングを変更可能とすることにより、排水口３２の開放時間が変更可能となり、排水口３２からの排水量、すなわち、便器への洗浄水量を可変することができる。これにより、便器の種類に応じて洗浄水量を調整することができる。
【００８５】
また、本実施形態に係る貯水タンク装置４によれば、排水弁装置２４を備えているので、便器の種類に応じて洗浄水量を調整することができる。さらに、本実施形態に係る水洗大便器１によれば、貯水タンク装置４を備えているので、便器の種類に応じて洗浄水量を調整することができる。
【００８６】
上述した本実施形態による排水弁装置２４では、フロート４８の浮力を調整するために、貯水部５８に貯水される洗浄水を重りとして利用したが、これに限定されず、例えば、必要な重量と高さに応じて交換可能な重り部材としてもよい。
【００８７】
また、上述した本実施形態による排水弁装置２４では、フロート４８の浮力を側壁４８ａの突出高さによって調整したが、所望の浮力および高さごとに交換可能な容器を設け、フロート４８上に容器を取り付けるようにしてもよい。
【００８８】
次に、図１１乃至図２２により、本発明の第２実施形態による排水弁装置を説明する。  第２実施形態による排水弁装置８０は、その下降開始タイミング可変機構が、第１実施形態のものと構造が異なるので、以下、その異なる構造について主に説明する。
【００８９】
図１１は第２実施形態による死水水位を高い位置に設定した（高ＤＷＬ設定の）排水弁装置８０の断面図を示し、図１２は第２実施形態による死水水位を低い位置に設定した（低ＤＷＬ設定の）排水弁装置８０の断面図を示している。
【００９０】
図１１乃至図１３に示すように、排水弁装置８０は、台座８２と、オーバーフロー管８４とを備える。図１１乃至図１５に示すように、台座８２は、排水口３２のほぼ直上に配置される。台座８２は、所定間隔をあけて、排水口３２の中心に対して同心円状に並んだ複数の柱部８２ａを備え、その最下部が排水口３２と螺合する。また、台座８２の下部には、排水口３２へ連通する排水空間８２ｃが形成される。洗浄水は、柱部８２ａと柱部８２ａとの間の開口８２ｄから排水空間８２ｃを通過した後、排水口３２から排水される。
【００９１】
また、図１１、図１２、図１６及び図１７に示すように、排水弁装置８０は、弁体８６と、フロート８８と、下降開始タイミング可変機構９０とを備える。弁体８６は、円板状に形成され、排水口３２と対向する下面に、ゴム製のシール部８６ａを有する。このシール部８６ａは、シール部支え部材８６ｂ（図１９参照）により弁体８６の下方に取り付けられるようになっている。このシール部支え部材８６ｂは、弁体８６の下面となり、その中心部には、フロート８８内の洗浄水を排出するための穿孔８６ｃが形成されている。
【００９２】
フロート８８は、上端が閉鎖された円筒形状の内筒８８ａと、この内筒８８ａの外側に上端が解放された外筒８８ｂを備え、内筒８８ａと外筒８８ｂの下端は下面８８ｃにより閉鎖され、さらに、内筒８８ａと外筒８８ｂの下端が弁体８６と接続され、弁体８６と一体的に設けられている。このフロート８８は、貯水タンク１８内の水位が低下して所定高さに達すると、その後の水位の低下に連動して下降する。
【００９３】
図１１、図１２に示すように、下降開始タイミング可変機構９０は、フロート８８の浮力調整機構であり、後述するようにフロート８８の周囲及び上方の領域に設けられる。下降開始タイミング可変機構９０は、貯水タンク１８内の水位の低下に連動して弁体８６およびフロート８８が下降を開始する際の貯水タンク１１内の水位を変更する（可変にする）ためのものである。
【００９４】
次に、図１６及び図１７により、下降開始タイミング可変機構５０の具体的な構造について説明する。図１６及ぶ図１７は、本発明の第２実施形態による排水弁装置の弁体、フロート、及び、下降開始タイミング可変機構を示す斜視図及び断面図である。図１６及び図１７は、図１２に示された排水弁装置と同様な、死水水位（ＤＷＬ）を低い位置に設定した場合（低ＤＷＬ設定）の下降開始タイミング可変機構９０を示している。
【００９５】
下降開始タイミング可変機構９０は、貯水部９２と調整部９４を備えている。貯水部９２は、フロート８８の周囲及び上方の領域に形成されている。具体的には、貯水部９２は、フロート８８の内筒８８ａと、外筒８８ｂと、下面８８ｃとにより形成された上部が解放されたドーナッツ形状の容器を備えている。さらに、貯水部９２は、外筒８８ｂの内側に上方から挿入され外筒８８ｂの内側に固定される上端と下端が解放された円筒形状の側壁１０２を備えている。この側壁１０２は、全周に渡って形成され、側壁１０２の上縁部まで洗浄水の貯水が可能となっている。このように、貯水部９２は、フロート８８の内筒８８ａ、外筒８８ｂ、下面８８ｃ、側壁１０２により形成され、それらにより形成された内部空間（フロート８８の周囲と上方の領域）に洗浄水を貯水する貯水領域を形成する。
【００９６】
次に、図１７及び図２０乃至図２２により、下降開始タイミング可変機構９０の調整部９４について説明する。下降開始タイミング可変機構９０の調整部９４は、フロート８８の外筒８８ｂの外周面と内周面を貫通するように設けられた、フロート８８の軸方向（上下方向）に延びる縦溝１０４と、この縦溝１０４の左方向に水平に延びる横溝１０６と、を備えている。調整部９４は、さらに、側壁１０２の外周面に設けられ、フロート８８の外筒８８ｂの縦溝１０４と横溝１０６に挿通可能な凸部１０８を備えている。ここで、横溝１０６は、所定間隔をあけてフロート８８の軸方向に沿って高さの異なる位置に複数（具体的には５個）設けられている。これに関連して、側壁１０２の表面には、フロート８８の外筒８８ｂの５個の横溝１０６の位置に対応して、水平方向（横方向）に延びる１から５の線が描かれており、凸部１０８が特定の横溝１０６に挿通したとき、対応する位置の線が外筒９８の上縁のすぐ上に位置して、外部から見ることができるようになっている（図２１、図２２参照）。
【００９７】
次に、図１６及び図２０に示すように、フロート８８の外筒８８ｂの縦溝１０４及び横溝１０６が形成された領域には、これらの縦溝１０４及び横溝１０６を取り囲み且つ水平方向外側に突出した壁部１１０が設けられている。この壁部１１０の両側１１０ａはフロート８８の軸方向（上下方向）に沿って延びている。この壁部１１０の外方向の先端部は、調整部である縦溝１０４、横溝１０６、凸部１０８より外側に位置するように形成されている。
【００９８】
本実施形態では、貯水部９２の側壁１０２に凸部１０８が形成され、フロート８８の外筒８８ｂに縦溝１０４及び横溝１０６が形成されているが、逆に、貯水部９２の側壁１０２に縦溝及び横溝を形成し、フロート８８の外筒８８ｂに凸部を形成するようにしてもよい。
【００９９】
ここで、図１１、図１２、図１８により、排水弁装置８０のガイド部１１２について説明する。図１１及び図１２に示すように、ガイド部１１２は、台座８２上に設けられる。また、ガイド部１１２は、図１８に示すように、フロート８８の外筒８８ｂが挿入可能な円筒状に形成される。ガイド部１１２の外周面の対向する２か所には、外方向に突出し上下方向に延びるガイド溝１１４が形成されている。このガイド部１１２のガイド溝１１４には、上述したフロート８８の外筒８８ｂの外側に形成された壁部１１０が微小隙間を介して挿入され、貯水部９２の上下動がガイドされるようになっている。このガイド部１１２により、弁体８６の上下動が安定する。
【０１００】
図１８に示すように、ガイド部１１２の一方のガイド溝１１４の両側には、ガイド溝１１４に沿って上下方向に延びる２個の開口１１６が形成されている（図１３参照）。開口１１６は、ほぼ矩形に形成されている。ガイド部１１２に開口１１６が形成されているので、ガイド部１１２の内部に設定された貯水量を超える余分な洗浄水が存在する場合、その余分な洗浄水を開口１１６から流出させることができる。このため、貯水部９２の貯水量が安定する。また、貯水部９２の外筒９８の外側に形成された壁部１１０がガイド部１１２の上下方向に延びるガイド溝１１４に挿入されているので、弁体８６及びフロート８８の周方向の移動が規制されるようになっている。
【０１０１】
ここで、開口１１６の面積は、第１実施形態と同様に、ガイド部１１２内の洗浄水の水位が、貯水タンク１８内の洗浄水の水位とほぼ同等速度で低下する程度の大きさに形成される。
【０１０２】
次に、図２２により、第２実施形態による排水弁装置８０の下降開始タイミング可変機構９０による貯水部９２の側壁１０２の突出高さの調整動作について説明する。ここでは一例として、下降開始タイミング可変機構９０による、左側の高ＤＷＬ設定された排水弁装置８０を右側の低ＤＷＬ設定される排水弁装置８０に変更する際の動作を説明する。
左側の高ＤＷＬ設定された排水弁装置８０においては、貯水部９２の側壁１０２の凸部１０８がフロート８８の外筒８８ｂの最上位の横溝１０６に挿通し、側壁１０２が突出高さが最も高い位置にある。このとき、排出口３２から排出される洗浄水量は、最小となる。
【０１０３】
この貯水部９２の側壁１０２の凸部１０８がフロート８８の外筒８８ｂの最上位の横溝１０６に挿通している状態から、側壁１０２を上方から見て時計回りに回転させて凸部１０８を縦溝１０４まで水平方向に移動させ、次に、側壁１０２を上方から押して最下位の横溝１０６まで下降させ、さらに、側壁１０２を上方から見て反時計回りに回転させて凸部１０８を最下位の横溝１０６に挿通させ、これにより、貯水部９２の側壁１０２の突出高さが最も低い位置となる。このとき、排出口３２から排出される洗浄水量は、最大となる。
【０１０４】
次に、図１６及び図１７により、フロート８８に連結部材である玉鎖３０を取付けるための紐体取付部について説明する。フロート８８の上面のほぼ中央には、玉鎖３０を取付けるための連結部材取付部である玉鎖取付部１１８が設けられている。この玉鎖取付部１１８は、上下方向に延びる一対の鉛直部材１１８ａとこれらの鉛直部材１１８ａを接続する水平部材１１８ｂを備えている。この水平部材１１８ｂに対して、玉鎖３０の下端のリング部３０ａが挿通される。この玉鎖３０の下端のリング部３０ａは、鉛直部材１１８ａのそれぞれの内側面１１８ｂとほぼ平行に延びている。そのため、鉛直部材１１８ａの内側面１１８ｂが、玉鎖３０のリング部３０ａの回転方向を一方向に規制する回転規制部として機能する。
【０１０５】
このように、鉛直部材１１８ａの内側面１１８ｂが、玉鎖３０のリング部３０ａの回転方向を一方向に規制するので、玉鎖３０と貯水タンク内部材との干渉や玉鎖３０自身の絡まりを防止することができる。
【０１０６】
次に、第２実施形態による排水弁装置８０の動作は、図５及び図６乃至図１０を参照して説明した第１実施形態による排水弁装置と同様である。
このため、第２実施形態による排水弁装置８０によれば、第１実施形態の排水弁装置と同様に、弁体８６の下降開始タイミングを変更可能とすることができるので、排水口３２の開放時間を変更可能とし、これにより、便器への洗浄水量を可変することができ、便器の種類に応じて洗浄水量を調整することができる。
【０１０７】
以下、本発明の第１実施形態及び／又は第２実施形態の排水弁装置２４、８０による作用効果を説明する。
先ず、本発明の実施形態の排水弁装置２４、８０によれば、弁体４２、８６に取り付けられ洗浄水内の水位の低下に連動して下降するフロート４８，８８に、弁体４２、８６が下降を開始するタイミングを可変とする下降開始タイミング可変機構５０、６４、９０を取り付けたので、弁体４２、８６が下降を開始するタイミングを変更とすることができる。この結果、本実施形態の排水弁装置２４，８０によれば、排水口３２から洗浄水を排出する時間を変更し、排水口３２からの排出される洗浄水量を変更することができるので、必要な洗浄水量が異なる種類の便器に取り付けて洗浄水量を容易に調整することができる。
【０１０８】
本実施形態の排水弁装置２４，８０によれば、フロート４８、８８に浮力調整機構を設けたので、簡易な機構により、弁体４２、８６の下降開始タイミングを変更することができる。
【０１０９】
本実施形態の排水弁装置２４，８０によれば、下降開始タイミング可変機構５０、６４、９０は、洗浄水を貯水する貯水部５８、９２と、この貯水部５８，９２に貯水された洗浄水量を調整する調整部６０、６６、９４と、を備えているので、調整部６０，６６、９４により重りとして機能する貯水部５８、９２に貯水された洗浄水量を調整して、フロート４８、８８に作用する浮力を容易に変更することができる。
【０１１０】
本実施形態の排水弁装置２４，８０によれば、下降開始タイミング可変機構５０，６４、９０の調整部６０，６６、９４により貯水部５８，９２の側壁５８ａ，１０２の高さを変更して洗浄水量を調整するようにしているので、フロート４８，８８に作用する浮力を容易に変更することができる。
【０１１１】
本実施形態の排水弁装置２４，８０によれば、下降開始タイミング可変機構５０、６４、９０の貯水部５８、９２の側壁５８ａ，１０２は、全周に渡って形成されその上縁部まで洗浄水の貯水が可能となっているので、貯水部５８、９２から貯水された洗浄水が抜ける場合でも、貯水部５８、９２から洗浄水が均一に水抜けするので、弁体４２、８６のバランスが崩れることなく弁体４２、８６を降下させることができる。
【０１１２】
本実施形態の排水弁装置８０によれば、フロート８８又は貯水部９２の側壁１０２に設けられた複数の高さ位置の異なる横溝１０６のうちの一つに側壁１０２又はフロート８８に設けられた凸部１０６が挿通することにより、貯水部９２の側壁１０２の上端部の高さ位置が変更され、弁体８６の下降開始タイミングの変更およびフロート８８の浮力の調整を簡易な構成により実現することができる。
【０１１３】
本実施形態の排水弁装置８０によれば、フロート８８又は貯水部９２の側壁１０２の周面には、調整部９４付近に外側へ延びる壁部１１０が形成されており、この壁部１１０の外側端は調整部９４より外側に位置しているので、壁部１１０により調整部９４が何らかの部材に接触して外れることを防止することができ、確実に調整部９４による貯水部９２の洗浄水量の調整により重りの重さを調整することができる。
【０１１４】
本実施形態による排水弁装置８０によれば、壁部１１０が、調整部９４を取り囲むように設けられているので、調整部９４の接触外れを確実に防止することができる。
【０１１５】
本実施形態による排水弁装置８０によれば、壁部１１０により、弁体８６の周方向の移動が規定されているので、フロート８８に取り付けられた玉鎖３０が回転して捩れるのを防止することができる。
【０１１６】
本実施形態による排水弁装置８０によれば、下降開始タイミング可変機構９０の貯水部９２がフロート８８の周囲に形成されているので、装置全体を低シルエットのコンパクトなものとすることができる。
【０１１７】
本実施形態の排水弁装置２４によれば、下降開始タイミング可変機構５０の調整部６０は、フロート４８と貯水部５８の側壁５８ａに設けられ、貯水部５８の側壁５８ａの高さを変更するネジ機構６２であるので、簡易な機構によりフロート４８に作用する浮力を変更して、弁体４２の下降開始タイミングを容易に変更することができる。
【０１１８】
本実施形態の排水弁装置２４、８０によれば、ガイド部７２，１１２により弁体４２，８６の上下動をガイドするので、弁体４２，８６の上下動を安定させることができる。さらに、ガイド部７２，１１２の貯水部５８，９２の側壁５８ａ、１０２が嵌入される周面に洗浄水を流出させるための開口７４，１１６が形成されているので、例えば、側壁５８ａ、１０２を低く設定した場合に、ガイド部７２，１１２内に側壁５８ａ、１０２の高さを超える洗浄水が貯水されることがあっても、貯水部５８，９２の設定された洗浄水量を超える余分な洗浄水を開口７４，１１６から流出させることができる。その結果、本実施形態によれば、フロート４８，８８は、ガイド部７２，１１２の影響を受けずに常に設定されたとおりの浮力を作用させることができ、フロート４８，８８の浮力をほぼ一定に保つことができる。
【０１１９】
本実施形態の排水弁装置２４、８０によれば、ガイド部７２，１１２の開口７４，１１６の上端は、弁体４２，８６がガイド部に対して最上位置に到達したとき、貯水部５８，９２の側壁５８ａ、１０２の上端よりも上方に位置するように形成されているので、貯水部５８，９２の設定された洗浄水量を超える余分な洗浄水を確実に開口から流出させることができ、これにより、フロート４８，８８に常に設定されたとおりの浮力を作用させることができ、フロート４８，８８の浮力をほぼ一定に保つことができる。
【０１２０】
本実施形態の排水弁装置２４、８０によれば、ガイド部７２，１１２の開口７４，１１６は、その面積がガイド部内の水位が洗浄水タンク１８内の水位の低下とほぼ同等速度で低下する程度の大きさに設定されているので、貯水部の設定された洗浄水量を超える余分な洗浄水を貯水タンク内の水位の低下とほぼ同時に開口から流出させることができ、フロートに常に設定されたとおりの浮力を作用させて、フロートの浮力をほぼ一定に保つことができる。
【０１２１】
本実施形態の排水弁装置２４、８０によれば、弁体４２，８６は、排水口３２を密閉するシール部４２ａ，８６ａを備え、弁体の一部がシール部よりも下方に位置するように設けられているので、装置全体をコンパクトにすることができる。
【０１２２】
本実施形態の排水弁装置８０によれば、弁体８６は、下面を備え、この下面に穿孔８６ｃが設けられているので、フロート８８内に洗浄水が流入した場合に、弁体８６の下面に設けられた穿孔８６ｃから洗浄水の水抜きを行うことができる。
【０１２３】
本実施形態の排水弁装置８０によれば、弁体８６の上面に弁体を引き上げる玉鎖３０が取り付けられる玉鎖取付部１１８が設けられ、この玉鎖取付部により、玉鎖３０の回転方向が一方向に規制されるので、玉鎖と貯水タンク内部材との干渉や玉鎖自身の絡まりを防止することができる。
【０１２４】
本実施形態による貯水タンク装置４は、上述した排水弁装置２４，８０を備えているので、同様に、洗浄水量を調整することができる。
【０１２５】
本実施形態による水洗大便器１は、上述した貯水タンク装置４を備えているので、洗浄水量を調整することができる。
【符号の説明】
【０１２６】
１  水洗大便器
２  便器本体
４  貯水タンク装置
１８  貯水タンク
２４、８０  排水弁装置
３０  玉鎖（連結部材）
３２  排水口
４２，８６  弁体
４２ａ，８６ａ  シール部
４４、８２  台座
５０，６４，９０  下降開始タイミング可変手段
５８，９２  貯水部
５８ａ，１０２  側壁
６０，６６、９４  調整部
７２、１１２  ガイド部
７４、１１６  開口
１０４  縦溝
１０６  横溝
１０８  凸部
１１０  壁部
１１８  玉鎖取付部
【図１】
0006536798.tif 000002
【図２】
0006536798.tif 000003
【図３】
0006536798.tif 000004
【図４】
0006536798.tif 000005
【図５】
0006536798.tif 000006
【図６】
0006536798.tif 000007
【図７】
0006536798.tif 000008
【図８】
0006536798.tif 000009
【図９】
0006536798.tif 000010
【図１０】
0006536798.tif 000011
【図１１】
0006536798.tif 000012
【図１２】
0006536798.tif 000013
【図１３】
0006536798.tif 000014
【図１４】
0006536798.tif 000015
【図１５】
0006536798.tif 000016
【図１６】
0006536798.tif 000017
【図１７】
0006536798.tif 000018
【図１８】
0006536798.tif 000019
【図１９】
0006536798.tif 000020
【図２０】
0006536798.tif 000021
【図２１】
0006536798.tif 000022
【図２２】
0006536798.tif 000023